(57)【要約】【課題】雄コネクタと雌コネクタ間の振動を抑制する。【解決手段】本明細書によって開示されるコネクタ１０は、雄コネクタ２０と雌コネクタ６０が嵌合することで通電状態を切替可能なコネクタであって、雄コネクタ２０は、雄フード３１と、雄フード３１の内部に収容された雄端子４０とを備えて構成され、雌コネクタ６０は、雄フード３１の内部に嵌合した雌ハウジング７０と、雌ハウジング７０の内部に収容され雄端子４０が接続された雌端子８０とを備えて構成され、雄端子４０と雄端子４０に対向して配された雌ハウジング７０の対向部分（内周面７６）との間が弾性部材（防振ゴム５０）によって埋められている構成とした。【選択図】図１
2017107685.tif 000002
【特許請求の範囲】
【請求項１】
雄コネクタと雌コネクタが嵌合することで通電状態を切替可能なコネクタであって、
前記雄コネクタは、雄フードと、前記雄フードの内部に収容された雄端子とを備えて構成され、
前記雌コネクタは、前記雄フードの内部に嵌合した雌ハウジングと、前記雌ハウジングの内部に収容され前記雄端子が接続された雌端子とを備えて構成され、
前記雄端子と前記雄端子に対向して配された前記雌ハウジングの対向部分との間が弾性部材によって埋められているコネクタ。
【請求項２】
前記雌ハウジングは、前記雌端子の前止まりを行う前壁と、前記前壁を中心として前記雌端子と反対側において前記弾性部材が内部に収容された雌フードとを備えている請求項１に記載のコネクタ。
【請求項３】
前記雌コネクタは、一対の前記雌端子を備え、前記雄端子は略Ｕ字状をなし、一対の前記雌端子に接続された一対の接続部を備え、前記弾性部材は、前記一対の接続部に亘って一体とされている請求項１または請求項２に記載のコネクタ。
【発明の詳細な説明】
【技術分野】
【０００１】
本明細書によって開示される技術は、コネクタに関する。
【背景技術】
【０００２】
従来、インターロック用オスコネクタとインターロック用メスコネクタが嵌合可能な電気接続用コネクタとして、例えば特許第５０４０８２１号公報（下記特許文献１）に記載のものが知られている。電気接続用コネクタは、インターロック用オスコネクタが設けられたオスコネクタと、インターロック用メスコネクタが設けられたメスコネクタとを備えて構成され、オスコネクタとメスコネクタの間にはシールリングが挟持されるようになっている。
【先行技術文献】
【特許文献】
【０００３】
【特許文献１】特許第５０４０８２１号公報
【発明の概要】
【発明が解決しようとする課題】
【０００４】
上記のインターロック用オスコネクタとインターロック用メスコネクタは、シールリングに防水された防水圏内で使用されるため、各ハウジングは非防水構造とされている。しかしながら、ハウジングは樹脂成形によって形成され、成形時の誤差を考慮して、ハウジング間にクリアランスをもたせた状態で嵌合するようになっているため、振動による影響を受けやすいものとされている。
【課題を解決するための手段】
【０００５】
本明細書によって開示されるコネクタは、雄コネクタと雌コネクタが嵌合することで通電状態を切替可能なコネクタであって、前記雄コネクタは、雄フードと、前記雄フードの内部に収容された雄端子とを備えて構成され、前記雌コネクタは、前記雄フードの内部に嵌合した雌ハウジングと、前記雌ハウジングの内部に収容され前記雄端子が接続された雌端子とを備えて構成され、前記雄端子と前記雄端子に対向して配された前記雌ハウジングの対向部分との間が弾性部材によって埋められている構成とした。
【０００６】
このような構成によると、雄端子と雌ハウジングの対向部分との間に配された弾性部材により、雄端子と雌ハウジングとのクリアランスをゼロにすることができる。したがって、雄端子が雌ハウジングに対して振動することを回避できる。仮に雄端子が振動した場合、雌ハウジングが弾性部材を介して雄端子と同じ挙動で振動し、雌ハウジングの内部に収容された雌端子も雌ハウジングと同じ挙動で振動し、雄端子と雌端子も同じ挙動で振動することになるため、雄端子と雌端子が摺動して摩耗することを抑制できる。
【０００７】
本明細書によって開示されるコネクタは、以下の構成としてもよい。
前記雌ハウジングは、前記雌端子の前止まりを行う前壁と、前記前壁を中心として前記雌端子と反対側において前記弾性部材が内部に収容された雌フードとを備えている構成としてもよい。
このような構成によると、雌フードと雄端子の間を弾性部材によって埋めることができ、雄端子と雌端子の接続部分に近い位置に弾性部材を配置することができる。
【０００８】
前記雌コネクタは、一対の前記雌端子を備え、前記雄端子は略Ｕ字状をなし、一対の前記雌端子に接続された一対の接続部を備え、前記弾性部材は、前記一対の接続部に亘って一体に形成されている構成としてもよい。
このような構成によると、単一の弾性部材によって隙間を埋めることができ、個別の弾性部材によって隙間を埋める場合よりも大きな弾性部材を構成することができ、弾性部材によって振動を吸収しやすくなる。
【発明の効果】
【０００９】
本明細書によって開示されるコネクタによれば、雄コネクタと雌コネクタ間の振動を抑制することができる。
【図面の簡単な説明】
【００１０】
【図１】コネクタの内部構造を示した断面図
【図２】雌コネクタの斜視図
【図３】雄コネクタを横から見た図
【図４】雄コネクタを上から見た図
【図５】雄コネクタの内部構造を示した断面図
【図６】雄端子を横から見た図
【図７】雄端子を上から見た図
【発明を実施するための形態】
【００１１】
＜実施形態＞
実施形態を図１から図７の図面を参照しながら説明する。本実施形態のコネクタ１０は、図１に示すように、雄コネクタ２０と雌コネクタ６０が互いに嵌合可能とされ、両コネクタ２０、６０が嵌合することでインターロック回路が閉じて電源回路が通電不能な状態から通電可能な状態へと切り替わるインターロック用コネクタである。
【００１２】
雄コネクタ２０は、図３に示すように、合成樹脂製の雄ハウジング３０と、ハウジング３０の内部に収容された雄端子４０と、雄端子４０と一体に設けられた防振ゴム５０とを備えて構成されている。
【００１３】
雄ハウジング３０は、図５に示すように、前方に開口する形態をなす雄フード３１を有し、雄フード３１の奥壁３２には、雄端子４０を圧入によって固定する圧入固定部３３が設けられている。圧入固定部３３は、奥壁３２を前後方向に貫通する形態をなし、その内部には圧入孔３４が前方に開口する形態で設けられている。図４に示すように、雄ハウジング３０の上面には、ロック突部３５が設けられている。
【００１４】
雄端子４０は、図６および図７に示すように、導電性のよい金属平板をプレス加工することによって形成したショート端子である。雄端子４０は略Ｕ字状をなし、平行に配された一対の接続部４１と、一つの接続部４１の後端部同士を連結した連結部４２とを備えて構成されている。一対の接続部４１と連結部４２は、ほぼ等幅で形成されており、一対の接続部４１が連結部４２によって導通可能に接続されている。連結部４２が圧入固定部３３の圧入孔３４に圧入されることで雄端子４０が雄ハウジング３０に固定されている。
【００１５】
防振ゴム５０はゴム製の弾性部材であって、一対の接続部４１に対して一体に成形されている。防振ゴム５０は、複数の外周リップ５１を有し、接続部４１における連結部４２寄りの位置に焼き付けによって固着されている。
【００１６】
雌コネクタ６０は、図１に示すように、合成樹脂製の雌ハウジング７０と、雌ハウジング７０の内部に収容された一対の雌端子８０と、一対の雌端子８０にそれぞれ接続された一対の電線Ｗとを備えて構成されている。電線Ｗは、芯線Ｗ１と、芯線Ｗ１を覆う絶縁被覆Ｗ２とからなる。
【００１７】
雌端子８０は、導電性のよい金属平板をプレス加工することによって形成したものであり、雄端子４０の接続部４１に接続される角筒部８１と、電線Ｗの芯線Ｗ１に圧着接続されるワイヤーバレル８２と、電線Ｗの絶縁被覆Ｗ２に圧着接続されるインシュレーションバレル８３とを備えて構成されている。角筒部８１の内部には、図示しない弾性接触片が設けられており、弾性接触片が雄端子４０の接続部４１に弾性的に接触することで両端子４０、８０が導通可能に接続される。
【００１８】
雌ハウジング７０の内部には、雌ハウジング７０の内部に後方から挿入された雌端子８０の前止まりを行う前壁７１が設けられている。図２に示すように、前壁７１には、一対の端子挿通孔７２が前後方向に貫通する形態で設けられている。前壁７１の前側には、単一の雌フード７３が前方に開口する形態で設けられている。雌ハウジング７０の上面には、片持ち状をなすロックアーム７４が設けられている。両コネクタ２０、６０を嵌合させると、ロックアーム７４のロック孔７５にロック突部３５が嵌まり込み、図１に示すように、ロック孔７５の内壁とロック突部３５が係止することで両コネクタ２０、６０が嵌合状態に保持される。
【００１９】
両コネクタ２０、６０の嵌合状態では、防振ゴム５０が雌フード７３内に収容される。複数の防振ゴム５０は、外周リップ５１が雌フード７３の内周面７６によって全周に亘って潰されることで、雄端子４０の接続部４１と雌フード７３の内周面７６との間を埋めるように配される。このようにすると、雄端子４０の接続部４１と雌ハウジング７０の雌フード７３とのクリアランスがゼロになり、コネクタ１０全体が振動した場合でも、雄端子４０と雌ハウジング７０が相対的に移動することはない。また、雌ハウジング７０の内部に収容された雌端子８０と雄端子４０とが摺動して摩耗することを抑制できる。
【００２０】
以上のように本実施形態では、雄端子４０と雌ハウジング７０の対向部分（雌フード７１の内周面７６）との間に配された弾性部材（防振ゴム５０）により、雄端子４０と雌ハウジング７０とのクリアランスをゼロにすることができる。したがって、雄端子４０が雌ハウジング７０に対して振動することを回避できる。仮に雄端子４０が振動した場合、雌ハウジング７０が弾性部材を介して雄端子４０と同じ挙動で振動し、雌ハウジング７０の内部に収容された雌端子８０も雌ハウジング７０と同じ挙動で振動し、雄端子４０と雌端子８０も同じ挙動で振動することになるため、雄端子４０と雌端子８０が摺動して摩耗することを抑制できる。
【００２１】
雌ハウジング７０は、雌端子８０の前止まりを行う前壁７１と、前壁７１を中心として雌端子８０と反対側において弾性部材が内部に収容された雌フード７３とを備えている構成としてもよい。
このような構成によると、雌フード７３と雄端子４０の間を弾性部材によって埋めることができ、雄端子４０と雌端子８０の接続部分に近い位置に弾性部材を配置することができる。
【００２２】
雌コネクタ６０は、一対の雌端子８０を備え、雄端子４０は略Ｕ字状をなし、一対の雌端子８０に接続された一対の接続部４１を備え、弾性部材は、一対の接続部４１に亘って一体に形成されている構成としてもよい。
このような構成によると、単一の弾性部材によって隙間を埋めることができ、個別の弾性部材によって隙間を埋める場合よりも大きな弾性部材を構成することができ、弾性部材によって振動を吸収しやすくなる。
【００２３】
＜他の実施形態＞
本明細書によって開示される技術は上記記述及び図面によって説明した実施形態に限定されるものではなく、例えば次のような種々の態様も含まれる。
（１）上記実施形態では雌フード７３の内部に防振ゴム５０を収容しているものの、雌フード７３を設けることなく、端子挿通孔７２の内周面と雄端子４０の接続部４１との間に防振ゴム（弾性部材）を介在させてもよい。
【００２４】
（２）上記実施形態では一対の接続部４１に亘って一体とされた防振ゴム５０を例示しているものの、各接続部４１にそれぞれ防振ゴムを設けてもよい。
【００２５】
（３）上記実施形態ではコネクタ１０としてインターロック用コネクタを例示しているものの、電源回路を構成する電源用コネクタに適用してもよい。
【符号の説明】
【００２６】
１０…コネクタ
２０…雄コネクタ
３１…雄フード
４０…雄端子
４１…接続部
４２…連結部
５０…防振ゴム（弾性部材）
６０…雌コネクタ
７０…雌ハウジング
７１…前壁
７３…雌フード
７６…内周面（対向部分）
８０…雌端子
【図１】
2017107685.tif 000003
【図２】
2017107685.tif 000004
【図３】
2017107685.tif 000005
【図４】
2017107685.tif 000006
【図５】
2017107685.tif 000007
【図６】
2017107685.tif 000008
【図７】
2017107685.tif 000009